(57)【要約】本発明の育毛補助装置１においては、オゾンを含んだ空気流を発生させるオゾン空気発生手段と、設定された温度に加温された空気流を発生させる加熱手段６と、後頸部を冷却する冷却手段５と、前記オゾン空気発生手段と、加熱手段と、冷却手段とを所定のタイムスケジュールで制御する制御手段とを備えるという手段を講じた。
2002056803.tif 000002
【特許請求の範囲】
【請求項１】
オゾンを含んだ空気流を発生させるオゾン空気発生手段と、
設定された温度に加温された空気流を発生させる加熱手段と、
後頸部を冷却する冷却手段と
前記オゾン空気発生手段と、加熱手段と、冷却手段とを所定のタイムスケジュールで制御する制御手段と
を備え、頭部に装着したヘルメット状のキャップの内部からオゾンを含んだ空気流および／または加温された空気流を供給するように構成したことを特徴とする育毛補助装置。
【請求項２】
オゾンを含んだ空気流を発生させるオゾン空気発生手段と、
設定された温度に加温された空気流を発生させる加熱手段と、
後頸部をマッサージするもみ手段と
前記オゾン空気発生手段と、加熱手段と、もみ手段とを所定のタイムスケジュールで制御する制御手段と
を備え、頭部に装着したヘルメット状のキャップの内部からオゾンを含んだ空気流および／または加温された空気流を供給するように構成したことを特徴とする育毛補助装置。
【請求項３】
頭部をマッサージするもみ手段を付加したことを特徴とする請求の範囲第１項に記載の育毛補助装置。
【発明の詳細な説明】
技術分野
本発明は、頭皮に育毛用の薬液を塗布し、温風や高濃度酸素を供給することによって育毛効果を促進するためのヘルメット状の育毛補助装置に関するものである。
背景技術
従来より、頭皮に育毛用の薬液を塗布し、温風や高濃度酸素を供給することによって育毛効果を促進するための育毛補助装置としては、営業用の自立型のスタンド状のものが、営業用の施術所等に設置されて使用されていた。
しかし、このような装置は、営業用の大型のものであるので、各家庭で使用するには適していなかったので、出願人は家庭においても使用できるコンパクトな育毛補助装置を特許第２７９８８３８号において提案し、家庭において使用になったという点で多大な効果を得ている。
そこで、近年においては、前述した特許第２７９８８３８号の育毛補助装置を、さらに快適に使用できるように改善することが望まれていた。
そこで、本発明は、特許第２７９８８３８号の育毛補助装置に、クール機能ともみ機能とを付加して、より効果的な育毛と快適な使用が可能な育毛補助装置の提供を目的としてなされたものである。
発明の開示
本発明にかかる請求の範囲第１項の育毛補助装置においては、オゾンを含んだ空気流を発生させるオゾン空気発生手段と、設定された温度に加温された空気流を発生させる加熱手段と、後頸部を冷却する冷却手段と、前記オゾン空気発生手段と、加熱手段と、冷却手段とを所定のタイムスケジュールで制御する制御手段とを備えるという手段を講じた。
請求の範囲第２項の育毛補助装置においては、オゾンを含んだ空気流を発生させるオゾン空気発生手段と、設定された温度に加温された空気流を発生させる加熱手段と、頭部をマッサージするもみ手段と、前記オゾン空気発生手段と、加熱手段と、もみ手段とを所定のタイムスケジュールで制御する制御手段とを備えるという手段を講じた。
また、冷却手段ともみ手段の両方を備えてもよい。
発明を実施するための最良の形態
以下に、本発明にかかる育毛補助装置を、その実施の形態を示した図面に基づいて詳細に説明する。
図１、２、３、４には育毛補助装置１の一例を図示した。
２はプラスチック製のキャップであり頭部にか被せるようにヘルメット状に成形されている。３はエアーバッグであり、前記キャップの内部の後頭部に面ファスナーによって着脱自在に装着されている。このエアーバッグ３はチューブ３１を介して接続されているエアーポンプ３２を握ったり開放したりする動作を繰り返すことによって膨張され、エアー抜きバルブ３３を開放することによって空気の抜くことによって縮まされる。このエアーバッグ３のカバーは取り外して洗濯することができる。
４は前頭部クッションであり、前記キャップの内部の前頭部に面ファスナーによって着脱自在に装着されている。この前頭部クッション４に充填されたスポンジを取り出すことによりカバーを洗濯することができる。
５は冷却装置であり、キャップ２に対して回動自在に取り付けられたホルダー５１に取り付けられており、ほぼ後頭部の後頸部に位置するように配設されている。前記ホルダー５１はホルダー調節ノブ５２を調節することによって、好みの位置に固定することができる。前記冷却装置５はペルチェ素子による電子冷却モジュールを用いたものであり、後述するコントローラ９から供給される電気エネルギーによって冷却される吸熱部と、この吸熱部で吸熱して温度が上昇する放熱部に空気を吹き付けて放熱効果を高めるための小型ファンとを備えている。そして、この冷却装置５の後頭部側にはパッド５３が配設されており、使用者の後頸部に当接して後頸部を冷やすように構成されている。このパッド５３のカバーは取り外して洗濯することができる。
６はセラミックヒータであり、キャップ２の内部の頭頂部に配設され、小型ファン（図示せず）による空気流を加温してキャップ２の内部に放出し頭皮を温めて刺激する。
７はもみ機構であり、キャップ２の内部の頭頂部に配設され、小型のギアードモータを駆動源として頭頂部をマッサージするもみ機能を実現している。
このもみ機能７は、頭皮刺激用のゴム製半球状部材（もみ導子）が複数設けられ、これらのゴム製半球部材を前記小型モータで揺動させることによって頭頂部をマッサージして頭皮に刺激を与えるように構成されている。これらのゴム製半球状部材（もみ導子）の取り付け座面には、加熱によって遠赤外線を発生する塗料を塗布した。
８は放電用ネオン管を用いてオゾンを含んだ高濃度酸素を発生するオゾン発生装置であり、後述するコントローラ９から供給される電気エネルギーによって放電することでオゾンを含んだ高濃度酸素を発生し、前記小型ファン（図示せず）による空気流をオゾンを含んだ高濃度酸素としてキャップ２の内部に放出し頭皮を酸化状態の雰囲気として頭皮の組織鵜を刺激する。
また、前記セラミックヒータ６から照射される遠赤外線は頭頂部とその周りを温める。特に、遠赤外線は皮膚の表面だけでなく皮下の毛根部まで温めるので、毛根部を刺激して発毛・育毛を促進するのである。
９はコントローラであり、前記遠赤外線ヒーター６の発熱量を制御する温度制御部９３と、前記もみ機構７を制御するもみ機構制御部９４と、前記冷却装置５を制御するための冷却制御部９５と、オゾン発生制御部９６と、これらの各機能を設定された所定のタイムスケジュールに従って制御する制御部９７と、電源部９９とを備えている。
前記温度制御部９３、もみ機構制御部９４、冷却制御部９５、およびオゾン発生制御部９６はＦＥＴ素子による電流制御機能を備えている。
前記電源部９９は商用電源を、セラミックヒータ用の直流２４ボルトと、オゾン発生装置、冷却装置、もみ機構用の１２ボルトと、制御回路用の５ボルトに変換して供給するものであり、トランス式もしくはスイッチングレギュレータ式とする。スイッチングレギュレータ式の場合には高容量の電流を簡便にとれるとともに装置の重量を軽くできる。
前記コントローラ９とキャップ２とは、前記前記遠赤外線ヒーター６を制御する電源ケーブルと、前記もみ機構７を制御する電源ケーブルと、前記冷却装置５を制御する電源ケーブルとが束ねられた１本の接続ケーブルで接続されている。従って、コントローラ９とキャップ２とは電源ケーブルだけで接続されており、ホース等を必要としないので効率よく且つコンパクトに装置を構成することができる。
なお、前記コントローラ９の内部にオゾン発生装置を内蔵して、発生させた高濃度酸素をホース等でキャップ２の内部に導いてもよい。
前記コントローラ９は、モード１選択スイッチ１１とモード２選択スイッチ１２とを備えている。
また、モード１の動作時における温風の温度を調整する温度調整ボリューム１３、各モードでの時間制御の開始／停止を制御するスタート／ストップスイッチ１４、残り動作時間を表示する４つの表示灯１５、温風の吹き出しが作動中であることを表示する表示灯１６、高濃度酸素が発生中であることを表示する表示灯１７、冷却装置が作動中であることを表示する表示灯１８、もみ機構が作動中であることを表示する表示灯１９を備えている。
図５は、前記コントローラ９の制御部９７のブロック図である。
図中、９６１は例えば８ビットのマイコンユニットであり、前記モード１選択スイッチ１１、モード２選択スイッチ１２、スタート／ストップスイッチ１４、各表示灯１５、１６、１７、１８、１９、温度制御部９３、もみ機構制御部９４、冷却制御部９５、オゾン発生制御部９６、ブザー９８、及び電源部９９が接続され、これらを系統的に制御する。前記マイコンユニット９６１は水晶振動子を用いて生成されるクロック周波数で駆動されるので、正確な時間制御が可能である。
また、異常な温度上昇を防止するためにサーモスタットと、温度フューズとを備えている。
以上の構成の育毛補助装置の操作および動作を説明する。
まず、育毛用の薬液を頭部に塗布した後に、キャップ２を頭に被ってエアーポンプ３２を操作してエアーバッグ３を膨張させ、もみ機構の頭皮刺激用ゴムが適度の圧力で頭部に接触するように調整する。
そして、モード１動作もしくはモード２動作をそれぞれスイッチで選択する。
モード１選択スイッチ１１を押してモード１動作を選択した場合、
スタート／ストップスイッチ１４を押すと、パネル面にある動作時間表示ランプ４個が転倒してモード１動作を開始する。
モード１動作においては、スタート／ストップスイッチ１４を押した後１０分間に渡って前記ヒータによって温風が頭部に供給される。このときの温風の温度は前記温度調節用ボリューム１３によって調整する。
動作開始後、２．５分経過する毎に前記４個のランプが１個ずつ順次消灯して時間経過を表示する。そして、１０分後には全て消灯して、ブザーが鳴動するとともに、温風の供給も終了する。
モード２選択スイッチ１２を押してモード２動作を選択した場合、
スタート／ストップスイッチ１４を押すと、パネル面にある動作時間表示ランプ４個が転倒してモード１動作を開始する。
モード２動作においては、スタート／ストップスイッチ１４を押した後、初めの２．５分間は、高濃度酸素が供給されて、頭部にオゾンを含んだ高濃度酸素を供給して薬液による育毛効果を促進するとともに、冷却装置５が作動して後頸部を冷却して快適に保つ。
次の５分間は、前記高濃度酸素の供給と後頸部の冷却に加えて、もみ機構による頭皮のマッサージ動作が加えられ、頭皮を刺激して薬液による育毛効果を促進する。
そして、最後の２．５分間は、再び、前記高濃度酸素の供給と後頸部の冷却が行われる。
動作開始後、２．５分経過する毎に前記４個のランプが１個ずつ順次消灯して時間経過を表示する。そして、１０分後には全て消灯して、ブザーが鳴動するとともに、全ての動作が終了する。
なお、前記モード１、２における各部の動作の時間や組み合わせは、あくまでもひとつの例であって、状況に応じて種々の設定組み合わせができることはいうまでもない。
そして、ヒータによる温風の供給や高濃度酸素の供給に加えて、後頸部の冷却機能や、頭皮のもみ機能を具備したので、温風による温熱効果と、後頸部の冷却によるクール効果とによって更に育毛効果を促進することができるとともに、快適に使用することができるようになった。
産業上の利用可能性
本発明の育毛補助装置によれば、加温手段による温風の供給やオゾン発生装置による高濃度酸素の供給に加えて、後頸部の冷却機能や、頭皮のもみ機能を具備したので、温風による温熱効果と、後頸部の冷却によるクール効果とによって更に育毛効果を促進することができるという効果が得られる。
従って、家庭においても使用可能となった特許第２７９８８３８号の育毛補助装置を、さらに効果的且つ快適に使用できるようになったのである。
【図面の簡単な説明】
第１図は、本発明にかかる育毛補助装置の使用状態の斜視図であり、
第２図は、図１の育毛補助装置の内部構成を説明する一部断面側面図であり、
第３図は、図１の育毛補助装置の内部構成を説明する裏返した状態の斜視図であり、
第４図は、図１の育毛補助装置の高濃度酸素発生装置の斜視図であり、
第５図は、図４の高濃度酸素発生装置のブロック図である。
【図１】
2002056803.tif 000003
【図２】
2002056803.tif 000004
【図３】
2002056803.tif 000005
【図４】
2002056803.tif 000006
【図５】
2002056803.tif 000007
【国際調査報告】
2002056803.tif 000008
2002056803.tif 000009
2002056803.tif 000010